(57)【要約】      （修正有）【課題】パチンコ遊技場等の遊技機配列島の妻板（側板）の端面その他の光表示装置取付け対象部へ取り付けて使用できる長尺な光表示装置であり、発光状態の電気的制御とは別に、簡単、安価に光表示状態を変更することができる用途の広い光表示装置を提供する。【解決手段】光表示装置取り付け対象部１０１に取り付け使用する長尺な光表示装置Ａであり、発光素子１１を配列した発光基板１を保持し、取り付け対象部１０１へ取り付け可能の長尺な保持枠２と、保持枠２に装着されて発光基板１を覆う透明な長尺のカバー３と、カバー３に装着された透光性の長尺な光表示板４（４１、４２）とを含み、カバー３は、カバー長手方向に沿って光表示板４を抜き出し可能に挿入嵌め込み装着するための挿入嵌装部３０を有しており、光表示板４は、カバー３から抜き出して別途準備された光表示板と交換可能である光表示装置Ａ。【選択図】図１
2007328039.tif 000002
【特許請求の範囲】
【請求項１】
光表示装置取り付け対象部に取り付け使用する長尺な光表示装置であり、
発光素子を配列した１又は２以上の発光基板と、
該発光基板を保持し、前記光表示装置取り付け対象部へ取り付け可能の長尺な保持枠と、
該保持枠に装着されて該発光基板を覆う透明な長尺のカバーと、
該カバーに装着された透光性の長尺な光表示板とを含み、
前記カバーは、該カバーの長手方向に沿って前記長尺の光表示板を抜き出し可能に挿入嵌め込み装着するための挿入嵌装部を有しており、
該光表示板は、該カバーから抜き出して別途準備された光表示板と交換可能であることを特徴とする光表示装置。
【請求項２】
前記保持枠は、該保持枠に保持された前記発光基板の両外側で該保持枠の長手方向に沿って延びる一対のガイド部を有しており、前記カバーは、該カバーの長手方向に沿って延びるとともに該ガイド部に嵌合摺動可能の一対の断面凹形状の摺動係合部を有しており、該摺動係合部が該ガイド部に嵌合装着されることで該保持枠に装着されている請求項１記載の光表示装置。
【請求項３】
前記カバーは、前記発光基板に対向する正面板部と該正面板部の両側縁から前記保持枠へ向かって該正面板部から一体的に延びる両側板部とを含んで断面形状コの字状を呈しており、前記摺動係合部は該両側板部の自由端縁部に沿って該側板部と一体的に形成されており、前記光表示板を抜き出し可能に挿入嵌め込み装着するための前記挿入嵌装部は該正面板部及び両側板部の内面に沿って提供されている請求項２記載の光表示装置。
【請求項４】
前記光表示板は、前記カバーの正面板部の内面に沿って該カバー内に挿入嵌装される正面光表示板部と、該正面光表示板部とは分離形成されていて前記カバーの各側板部の内面に沿って、且つ、該正面光表示板部の側縁部と前記摺動係合部との間に挿入嵌装される側面光表示板部とからなっている請求項３記載の光表示装置。
【請求項５】
前記摺動係合部には、該摺動係合部の長手方向に沿って延びるとともに該摺動係合部から前記カバーの正面板部へ向かって、且つ、前記カバーの側板部に対し間隙をおいて立ち上がる、前記側面光表示板部の挿入嵌装案内のための突起片が形成されている請求項４記載の光表示装置。
【請求項６】
前記カバーの前記保持枠からの該保持枠長手方向への抜け止め防止及び前記光表示板の該カバーからの該カバー長手方向への抜け止め防止のための抜け止め部材が、該保持枠に装着される該カバーの各端部に臨んで前記保持枠に設けられており、該抜け止め部材のうち少なくとも一方は該保持枠に対し着脱可能であり、該保持枠に対し着脱可能の抜け止め部材を該保持枠から取り外すことで、前記光表示板を該カバーから抜き出し、別途準備された光表示板と交換可能である請求項１から５のいずれかに記載の光表示装置。
【請求項７】
前記カバーの前記保持枠からの該保持枠長手方向への抜け止め防止及び前記光表示板の該カバーからの該カバー長手方向への抜け止め防止のための抜け止め部材が、該保持枠に装着される該カバーの各端部に臨んで前記保持枠に設けられており、該抜け止め部材のうち少なくとも一方は該保持枠に対し着脱可能であり、該保持枠に対し着脱可能の抜け止め部材を該保持枠から取り外すことで、前記光表示板を該カバーから抜き出し、別途準備された光表示板と交換可能であり、該抜け止め部材は、該カバー内に挿入嵌装される前記側面光表示板部の該カバー内中央側への倒れ込みを防止する突起部を有している請求項４又は５記載の光表示装置。
【請求項８】
前記発光基板には、前記発光素子のうち少なくとも一つに対しプリズムが設けられている請求項１から７のいずれかに記載の光表示装置。
【請求項９】
前記プリズムのうち少なくとも一つは、少なくとも前記カバーを前記保持枠から外す作業を伴って別途準備されたプリズムと交換可能である請求項８記載の光表示装置。
【発明の詳細な説明】
【技術分野】
【０００１】
本発明は、パチンコホール等の遊技場における各種光表示、各種物品の展示場における光表示、工場における各種光表示、広告等用の看板における光表示等、様々の分野における光表示に利用できる光表示装置に関する。
【背景技術】
【０００２】
従来、光表示装置は、パチンコホール等の遊技場における光表示、各種物品の展示場における光表示、工場における各種光表示、広告等用の看板における光表示等のために様々のタイプのものが提案され、実用化されてきた。
【０００３】
その多くは、コンパクトにブロック状に纏まったものであったが、最近では、より目立つ光表示、より斬新な光表示等のために長尺に形成された光表示装置も提案され、実用化されるようになってきている。
【０００４】
例えば、パチンコ機やパチスロ機等の遊技機を備えた遊技場において遊技機を所定個数配列した所謂島の妻板（側板）の端面に上下方向にわたって設けたり、その上下方向に対し横方向に交わって延びるように設けたりすることができる長尺の光表示装置が実用化され、店員等の目につきやすい島の代表ランプとして利用されている。
【０００５】
すなわち、遊技機にトラブルが発生したとき、その遊技機において呼出しボタンが押されると店員呼出し表示を行ったり、その島のいずれかの遊技機において所謂大当たりが発生すると、そのことを店員や遊技者へ知らしめるための表示を行ったり、或いは、不正行為があると、そのことを店員に知らせるための表示を行ったりすることに利用されている。
【０００６】
このような長尺の光表示装置は、例えば、月刊雑誌「プレイグラフ  第４２巻  第３号」（平成１８年３月２０日  株式会社プレイグラフ社発行）の５８頁、５９頁に掲載されている。
【非特許文献１】月刊雑誌「プレイグラフ  第４２巻  第３号」（平成１８年３月２０日  株式会社プレイグラフ社発行）
【０００７】
そして、長尺タイプのものであれ、そうでないものであれ、従来の光表示装置においては、光表示状態の変更は、光表示装置に組み込まれた発光素子（例えばＬＥＤ）の発光状態（連続点灯、点滅、複数の発光素子の順次点灯消灯など）を電気的に制御することで行われてきた。
【発明の開示】
【発明が解決しようとする課題】
【０００８】
しかしながら、発光素子の発光状態を電気的に制御する方法では、発光素子から発せられる光が人目に触れるまでに反射したり、屈折したり、通過する部材は光表示装置の製造当初と同じ状態のままであった。
【０００９】
そのため、一つの光表示装置における光表示状態の変更には限りがあり、その光表示装置を利用できる分野にも限りがあった。
【００１０】
そこで本発明は、電気的制御による発光状態の制御とは別に、簡単、安価に光表示状態を変更することができる用途の広い光表示装置を提供することを課題とする。
【課題を解決するための手段】
【００１１】
本発明は前記課題を解決するため、
光表示装置取り付け対象部に取り付け使用する長尺な光表示装置であり、
発光素子を配列した１又は２以上の発光基板と、
該発光基板を保持し、前記光表示装置取り付け対象部へ取り付け可能の長尺な保持枠と、
該保持枠に装着されて該発光基板を覆う透明な長尺のカバーと、
該カバーに装着された透光性の長尺な光表示板とを含み、
前記カバーは、該カバーの長手方向に沿って前記長尺の光表示板を抜き出し可能に挿入嵌め込み装着するための挿入嵌装部を有しており、
該光表示板は、該カバーから抜き出して別途準備された光表示板と交換可能である光表示装置を提供する。
【００１２】
ここで、「長尺」とは、幅や厚みに比べて長さが十分長い状態を指している。
また、カバーに装着される「光表示板」とは、「レンズ板」などとも称されているもので、片面又は両面に光屈折、光散乱等の効果を示す凹凸模様、例えば四角錐体等の多角錐体を並べた模様、半球を並べた模様、凹凸を伴う波線模様等の各種凹凸模様を設けた板体や、両面とも平坦ではあるがスリガラス様の半透明である板体、両面とも平坦ではあるが光を和やらげる等の効果を有する乳白色の光透過性の板体等である。
【００１３】
本発明に係る光表示装置は、長尺の光表示装置であり、従来のコンパクトにブロック状に纏まったタイプの光表示装置に対し、長い領域にわたる長い光表示が望まれる、或いはそれが好ましい、各種分野の光表示装置取付け対象部に一つ、或いは２本以上を平行に又は直列に、或いは四角形状や三角形状等に取付け利用することができる。
【００１４】
本発明に係る光表示装置は、従来の光表示装置と同様に、発光素子の発光状態（連続点灯、点滅、順次点灯消灯、選択的な発光素子の点灯など）を電気的に制御する制御部を付属させて各発光素子の発光状態を様々に制御できる。
【００１５】
しかし本発明に係る光表示装置は、そのように発光素子の発光状態を電気的に制御することとは別に、前記光表示板を前記カバーから抜き出し、別の光表示効果を示す別途準備された光表示板に交換して使用することができ、該光表示板の交換だけで、簡単、安価に、単に発光素子の発光状態の電気的制御だけでは得られない趣等の点で異なった光表示状態に変更することができ、それだけ用途が広い。
【００１６】
勿論、表示の変更にあたっては、光表示板の交換とともに、発光基板における発光素子の発光状態の電気的制御を行ってもよく、そうすれば、一層表示状態を大幅に変更することが可能である。
【００１７】
本発明に係る光表示装置における前記保持枠としては、例えば、該保持枠に保持された前記発光基板の両外側で該保持枠の長手方向に沿って延びる一対のガイド部を有しているものを挙げることができる。
【００１８】
このような保持枠を採用する場合、前記カバーとして、例えば、該カバーの長手方向に沿って延びるとともに該ガイド部に嵌合摺動可能の一対の断面凹形状の摺動係合部を有し、該摺動係合部が該ガイド部に嵌合装着されることで該保持枠に装着されるものを挙げることができる。
【００１９】
かかる保持枠の具体例として、長尺な長方形状の底板部と、該底板部の両側縁から立ち上がる一対の側板部とからなる断面形状がコの字形状の部分の該各側板部の外側縁から該底板部と平行に外側へ張出部が形成され、該張出部が前記ガイド部とされるものを挙げることができる。このような保持枠は、金属或いは合成樹脂から一体的に形成することができる。
【００２０】
前記カバーは、保持枠に装着可能で前記発光基板を覆うことができ、前記光表示板を挿入嵌装でき、必要に応じ、該光表示板を抜き出して別途準備された光表示板に交換できるものであれば、カバー断面形状等において特に制限はないが、合成樹脂の押し出し成形等により一体的に安価製作し易く、光表示板の交換を比較的容易に行えるものとして、例えば次のものを挙げることができる。
【００２１】
すなわち、前記発光基板に対向する正面板部と該正面板部の両側縁から前記保持枠へ向かって該正面板部から一体的に延びる両側板部とを含んで断面形状がコの字状を呈しており、前記摺動係合部が該両側板部の自由端縁部に沿って該側板部と一体的に形成されており、前記光表示板を抜き出し可能に挿入嵌め込み装着するための前記挿入嵌装部が該正面板部及び両側板部の内面に沿って提供されているものである。
【００２２】
このようなカバーを採用する場合、該カバーに対する挿入嵌装及び交換のための抜き出し等を容易に行える光表示板として、該カバーの正面板部の内面に沿って該カバー内に挿入嵌装される正面光表示板部と、該正面光表示板部とは分離形成されていて該カバーの各側板部の内面に沿って、且つ、該正面光表示板部（カバーの正面板部の内面に沿って配置された正面光表示板部）の側縁部と前記摺動係合部との間に挿入嵌装される側面光表示板部とからなるものを例示できる。
【００２３】
かかるカバーの摺動係合部には、該摺動係合部の長手方向に沿って延びるとともに該摺動係合部から前記カバーの正面板部へ向かって、且つ、前記カバーの側板部に対し間隙をおいて立ち上がる、前記側面光表示板部の挿入嵌装案内のための突起片を形成してもよい。該突起片はカバー形成時に摺動係合部と一体的に形成されることが好ましい。
【００２４】
前記カバーの前記保持枠からの該保持枠長手方向への抜け止め防止及び前記光表示板の該カバーからの該カバー長手方向への抜け止め防止のための抜け止め部材を、該保持枠に装着される該カバーの各端部に臨ませて該保持枠に設けてもよい。
【００２５】
また、かかる抜け止め部材のうち少なくとも一方は、該保持枠に対し着脱可能として、該保持枠に対し着脱可能の抜け止め部材を該保持枠から取り外すことで、前記光表示板を前記カバーから抜き出し、別途準備された光表示板と交換可能としてもよい。
【００２６】
また、光表示板として前記の正面光表示板部と、一対の側面光表示板部とからなるものを採用する場合には、該抜け止め部材は、該カバー内に挿入嵌装される該側面光表示板部の該カバー内中央側への倒れ込みを防止する突起部を有していてもよい。
【００２７】
光表示に一層変化を持たせるために、前記発光基板には、前記発光素子のうち少なくとも一つに対しプリズムを設けてもよい。
また、該プリズムのうち少なくとも一つは、少なくとも前記カバーを前記保持枠から外す作業を伴って別途準備されたプリズムと交換可能であってもよい。
【００２８】
以上説明した本発明に係る長尺光表示装置の利用の具体例としては、パチンコホール等の遊技場における所定個数の遊技機を配列した所謂島の妻板（側板）の上下方向に延びる端面に取り付けて島代表ランプや、装飾表示ランプとして利用する場合を挙げることができる。本発明に係る長尺表示ランプを複数個、島の正面側周囲に並べて装飾等に用いることも可能である。この他、各種物品の展示場における光表示、工場における各種光表示、広告等用の看板における光表示等にも利用できる。
【発明の効果】
【００２９】
以上説明したように本発明によると、パチンコ遊技場等の遊技機配列島の妻板（側板）の端面その他の光表示装置取付け対象部へ取り付けて使用できる長尺な光表示装置であり、発光状態の電気的制御とは別に、簡単、安価に光表示状態を変更することができる用途の広い光表示装置を提供することができる。
【発明を実施するための最良の形態】
【００３０】
本発明に係る光表示装置の１例を、遊技場における島の妻板（側板）の上下方向に延びる端面に取り付けて装飾ランプ、島代表ランプとして用いるものを例にとって説明する。  図１は、遊技場における島１００の妻板１０１の上下方向に延びる前端面１０２に取り付けた光表示装置Ａを示している。島１００には本例では複数のパチンコ機１０３（図１には紙面の都合上、１台だけ示してある）が配列されている。
図２は図１に示すように妻板１０１に取り付けられた光表示装置Ａの側面図である。
【００３１】
光表示装置Ａは長尺な装置であり、複数の発光素子１１を配列した複数の発光基板１と、該発光基板１を保持した保持枠２と、保持枠２に装着されて発光基板１を覆っている透明なカバー３と、カバー３内に装着された透光性の光表示板４とを含んでいる。
【００３２】
図３（Ａ）は、複数の発光基板１を直列配置で保持した保持枠２の平面図であり、図３（Ｂ）は同正面図であり、図３（Ｃ）は同右側面図である。また、図４（Ａ）はカバー３の平面図であり、図４（Ｂ）はカバー３の正面図である。図５（Ａ）は光表示板４を構成している正面光表示板部４１を示しており、図５（Ｂ）は光表示板４を構成している側面光表示板部４２を示している。
【００３３】
各発光基板１に搭載された各発光素子１１は赤色発光を行うＬＥＤ（発光ダイオード）、緑色発光を行うＬＥＤ及び青色発光を行うＬＥＤの３種の発光ダイオード（ＬＥＤ）を組み合わせた発光素子である。このタイプの発光素子として、フルカラーＬＥＤ等と称され、市販されているＬＥＤを利用できる。
【００３４】
保持枠２は、図３に示すように、長尺な長方形状の底板部２１と、底板部２１の両側縁から立ち上がる一対の側板部２２とからなる断面形状がコの字形状の部分の該各側板部２２の外側縁から底板部２１と平行に外側へ張出部２３を形成したものであり、金属板を折り曲げ加工して一体的に長尺に形成してある。
【００３５】
保持枠２の底板部２１には複数本の電気絶縁性の合成樹脂からなる基板支持柱２１１を立設してあり、各発光基板１は該支持柱２１１にネジ留めされて、上記コの字形状の部分内に若干沈み込んだ状態で配置されている。
【００３６】
保持枠２の底板部２１の両端部にはそれぞれネジ孔２１２を形成してあり、このネジ孔２１２を利用して、保持枠２を妻板１０１にネジ留めすることができる。
さらに説明すると、妻板１０１の前端面には、図２に示すように保持枠２の前記断面コの字状の部分を嵌め込む凹所１０１’を形成してあり、該凹所底の上下各端部にネジ螺合用部１０１”を立設してあり、ネジ孔２１２に通したネジｓ１（図１、図２参照）をこのネジ螺合用部１０１”に螺合緊締することで保持枠２を妻板１０１に取り付けることができる。このように保持枠２を妻板１０１に取り付けた状態では、保持枠２の前記一対の張出部２３は妻板前端表面から若干浮き上がって間隙を形成している。
【００３７】
カバー３は長尺に、しかし保持枠２の全長より若干短く形成されている。カバー３は、、図４に示すように、発光基板１に対向する正面板部３１と、該正面板部３１の両側縁から保持枠２へ向かって該正面板部から一体的に延びる両側板部３２とを含んで断面形状コの字状を呈している。
【００３８】
そして、各側板部３２の自由端縁部に沿って摺動係合部３３を該側板部と一体的に形成してある。摺動係合部３３は、カバー３の内側へ向かって開口する断面形状が凹形のものである。また、カバー３は各摺動係合部３３に沿って延び、該摺動係合部から正面板部３１の方へ立ち上がる突起片３４を有している。この突起片３４は側板部３２との間に間隙を形成している。
【００３９】
カバー３は、摺動係合部３３及び突起片３４を含め全体を、例えば合成樹脂の押し出し成形にて簡単安価に形成できる。本例でのカバー３は樹脂成形によって一体的に形成された透明カバーである。
そして、該カバー３の正面板部３１及び両側板部３２の内面に沿った領域が前記光表示板４を抜き出し可能に挿入嵌め込み装着するための挿入嵌装部３０（図４（Ａ）等参照）となっている。
【００４０】
このカバー３は、その一対の摺動係合部３３を保持枠２の一対の張出部２３の片側端（例えば上端）において該張出部を外側から抱くように嵌め込み、該張出部２３をガイドとして保持枠長手方向に摺動させることで、図６に示すように該張出部（ガイド部）２３に嵌合装着でき、それにより発光基板１を覆うように保持枠２に装着できる。
【００４１】
このように、カバー３をその摺動係合部３３を保持枠２の張出部（ガイド部）２３に嵌めて所定位置へ向け摺動させるとき、摺動係合部３３の張出部２３の裏側（妻板側）に位置する部分３３０は、妻板と張出部２３との間に前記のように形成された間隙に嵌め進められる（図２参照）。
【００４２】
なお、保持枠２を妻板１０１にネジ留めした後に該保持枠２にカバー３を装着することが困難なときは、カバー３を保持枠２に装着した後に保持枠２を妻板１０１にネジ留めしても構わない。
【００４３】
光表示板４は、カバー３の正面板部３１及び両側板部３２の内面に沿って形成された光表示板４のための挿入嵌装部３０に抜き出し可能に挿入嵌め込み装着できる断面コの字形状のものでも構わない。しかし、本例では、光表示板４は、図５に示すように、広い幅の正面光表示板部４１と、それより幅狭の一対の側面光表示板部４２とで簡単、安価に構成している。
【００４４】
例えば、図６に示すように、光表示板４を構成する部材のうち正面光表示板部４１は、カバー３の正面板部３１の内面に沿ってカバー３内へ挿入嵌装され、光表示板４を構成する部材のうち各側面光表示板部４２は、カバー３の側板部３２の内面に沿ってカバー３内へ挿入嵌装される。このとき、側面光表示板部４２は、カバー３の側板部３２の内面と前記突起片３４との間隙へ案内されつつ嵌装される。
【００４５】
正面光表示板部４１と側面光表示板部４２はいずれを先にカバー３内へ挿入嵌装しても構わないが、最終的には図６に示すように、各側面光表示板部４２が、正面光表示板部４１の側縁部とカバー３の前記摺動係合部３３との間に位置し、正面光表示板部４１のカバー内中央部への倒れ込みが該側面光表示板部４２で防止されるようにする。各側面光表示板部４２のカバー内中央部への倒れ込みは、突起片３４をある程度広幅に形成しておくことで防止することができるが、本例では、次に説明する抜け止め部材５の突起部５１４（図６、図７等参照）により一層確実に光表示板部４２の倒れ込みを防止するようにしている。
【００４６】
光表示板部４１、４２は、「レンズ板」とも称されているもので、ここでは、片面に四角錐体を並べた凹凸模様を呈している透明な板体であり、発光基板１上の発光素子１１から発せられ、入射してくる光を屈折したり、反射したり、散乱させる等しながら、透明カバー３を介して外部へ放出することで、該凹凸模様に応じた光表示効果を発揮するものである。
【００４７】
光表示板部４１、４２はこのようなものに限定されることはなく、片面又は両面に光屈折、光散乱等の効果を示す上記以外の凹凸模様、例えば四角錐体以外の多角錐体を並べた模様、半球を並べた模様、凹凸を伴う波線模様等の各種凹凸模様を設けたレンズ効果或いはプリズム効果を示す板体や、両面とも平坦ではあるがスリガラス様の半透明である板体、両面とも平坦ではあるが光を和やらげる等の効果を有する乳白色の光透過性の板体等も採用できる。
【００４８】
具体的製品として、例えば、旭化成ケミカルズ株式会社から「デラプリズム」（登録商標）の商品名で提供されている各種照射パターンを実現できるアクリル樹脂やスチロール樹脂からなる透光性板体を利用できる。
【００４９】
光表示装置Ａは以上の部品のほか、さらに、カバー３の各端部に臨んで保持枠２に着脱可能に設けられた抜け止め部材５を含んでいる。
各抜け止め部材５は同じ構造のものであり、図７に示す内側部品５１と図８に示す外側部品５２とを含んでいる。
【００５０】
図７（Ａ）は内側部品５１の正面図であり、図７（Ｂ）は同部品の平面図であり、図７（Ｃ）は同部品の右側面図である。
内側部品５１は、底板部５１１の前後の各端縁から前板部５１２及び後ろ板部５１３を立ち上がらせ、前板部５１２の中央部にネジ孔５１２ｈを、後ろ板部５１３の左右端部にネジ通し孔５１３ｈを設けたものである。底板部５１の下面には一対の突起部５１４を突設してある。
【００５１】
図８（Ａ）は外側部品５２の正面図であり、図８（Ｂ）は同部品の平面図であり、図８（Ｃ）は同部品の右側面図である。
外側部品５２は、前板部５２１の左右端から奥側へ側板部５２２を突設し、前板部５２１の中央部にネジ通し孔５２１ｈを形成したものである。
【００５２】
抜け止め部材５は次のようにして保持枠２にネジ留めする。保持枠２の上下端部を予め妻板１０１にネジｓ１にて留め、その状態で、保持枠２に既に装着されている、或いはこれから保持枠２に装着するカバー３の下端に臨む位置に下側の抜け止め部材５を取り付ける。このとき、その抜け止め部材５を構成する内側部材５１は図７（Ａ）に示す姿勢に対し上下逆向きにし、後ろ板部５１３の左右のネジ通し孔５１３ｈに通したネジｓ２を保持枠２の下端部の左右の張出部２３に設けた左右のネジ孔２５（図３（Ｂ）参照）に螺合させることで該内側部材５１を保持枠２にネジ留めする（図１、図２、図９参照）。
【００５３】
次いで、外側部品５２を図８（Ａ）に示す姿勢に対し逆向きにして内側部品５１に外嵌し、外側部品５２のネジ通し孔５２１ｈに通したボルトｓ３を内側部品５１の前板部５１２のネジ孔５１２ｈに螺合させ、かくして外側部品５２を内側部品５１に被せ着ける。
【００５４】
このように保持枠２の下端部に下側の抜け止め部材５を取り付けた状態では、該抜け止め部材５を取り付けるに先立って、或いは該抜け止め部材５を取り付けた後に保持枠２に装着したカバー３の保持枠２からの下方への抜け及びカバー３内に挿入嵌装した光表示板部４１、４２のカバー３から下方への抜けが該抜け止め部材５により防止される。
【００５５】
上側の抜け止め部材５は、カバー３を保持枠２に装着し、該カバー内に光表示板部４１、４２を挿入嵌装した後、該上側抜け止め部材５の内側部品５１を図７（Ａ）に示す姿勢で保持枠２の上端部にネジｓ２で留め、さらに該内側部品５１に図８（Ａ）に示す姿勢で被せた外側部品５２をボルトｓ３で内側部品５１に被せ着ける。
【００５６】
このように保持枠２の上端部に上側の抜け止め部材５を取り付けた状態では、保持枠２に装着したカバー３の保持枠２からの上方への抜けが防止されるとともに、カバー３内に挿入嵌装した光表示板部４１、４２のカバー３から上方への抜けが防止される。
【００５７】
以上説明した光表示装置Ａによると、従来の光表示装置と同様に、発光基板１に搭載された各発光素子１１の発光状態（連続点灯、点滅、順次点灯消灯、選択的な発光素子の点灯など）、さらには各発光素子１１における赤色ＬＥＤ、緑色ＬＥＤ及び青色ＬＥＤのそれぞれの発光状態（連続点灯、点滅、順次点灯消灯、選択的な発光素子の点灯など）を電気的に制御する制御部（図示省略）を回路構成にて組み合わせて各発光素子１１、さらには各発光素子１１における各色のＬＥＤの発光状態を様々に制御できる。
【００５８】
しかし光表示装置Ａは、そのように発光素子１１の発光状態を電気的に制御することとは別に、光表示板４（より具体的には本例では光表示板部４１、４２のうち少なくとも一方）を、例えば上側抜け止め部材５を取り外してカバー３から抜き出し、別の光表示効果を示す別途準備された光表示板（図示省略）に交換してカバー３へ挿入嵌装し、再び上側抜け止め部材を保持枠２に取り付け、使用することができ、該光表示板の簡単、容易な交換だけで、簡単、安価に、単に発光素子１１の発光状態の電気的制御だけでは得られない趣等の点で異なった光表示状態に変更することができる。
【００５９】
勿論、表示の変更にあたっては、光表示板の交換とともに、発光素子１１の発光状態の電気的制御も行ってもよく、そうすれば、一層表示状態を大幅に変更することが可能である。
【００６０】
以上説明した光表示装置Ａは、複数の発光素子１１のうち少なくとも一つに対しプリズムを設けてもよい。図１０（Ａ）は各発光素子１１に対し図１０（Ｂ）に例示するプリズム６を被せ着け、発光基板１に取り付けた様子を例示している。プリズム６の発光基板１への取り付けは、例えば基板１の裏面側から基板１に通したボルト（図示省略）で行える。各プリズム６は別途準備された、異なるプリズム効果を示す他のプリズムに適宜変更可能である。
かかるプリズムの採用、該プリズムの適宜の交換により一層趣の異なる光表示が可能となる。
【００６１】
以上説明した光表示装置Ａは遊技場の島１００の妻板１０１に取り付け使用したが、表示装置Ａはそのような部位以外の、光表示装置取り付けが要求される、或いは取り付けが望ましいというような、様々の分野における光表示装置取り付け対象部に取り付け使用することができる。
【産業上の利用可能性】
【００６２】
本発明は、パチンコホール等の遊技場における各種光表示、各種物品の展示場における光表示、工場における各種光表示、広告等用の看板における光表示等に使用できる光表示装置を提供することに利用できる。
【図面の簡単な説明】
【００６３】
【図１】遊技場における島の妻板に取り付けた本発明に係る光表示装置の１例の正面図である。
【図２】図１に示すように妻板に取り付けられた光表示装置の側面図である。
【図３】図３（Ａ）は、発光素子を配列した発光基板を保持した保持枠の平面図であり、図３（Ｂ）は同保持枠の正面図であり、図３（Ｃ）は同保持枠の右側面図である。
【図４】図４（Ａ）はカバーの平面図であり、図４（Ｂ）はカバーの正面図である。
【図５】図５（Ａ）は光表示板を構成している正面光表示板部を示す図であり、図５（Ｂ）は同光表示板を構成している側面光表示板部を示す図である。
【図６】保持枠、これに装着されたカバー及びカバーに挿入嵌装された光表示板の断面図である。
【図７】図７（Ａ）は抜け止め部材を構成している内側部品の正面図であり、図７（Ｂ）は同部品の平面図であり、図７（Ｃ）は同部品の右側面図である。
【図８】図８（Ａ）は抜け止め部材を構成している外側部品の正面図であり、図８（Ｂ）は同部品の平面図であり、図８（Ｃ）は同部品の右側面図である。
【図９】保持枠及びこれに装着された抜け止め部材の平面図である。
【図１０】図１０（Ａ）は図３（Ｂ）に示す発光基板上の発光素子に対しプリズムを設けた状態を例示する図であり、図１０（Ｂ）は該プリズムの斜視図である。
【符号の説明】
【００６４】
１００  遊技場の島
１０１  島の妻板
１０１’  妻板の凹所
１０１”  ネジネジ螺合用部
１０２  妻板の端面
１０３  パチンコ機
Ａ  光表示装置
１  発光基板
１１  発光素子
２  保持枠
２１  底板部
２１１  基板支持柱
２１２  ネジ孔
ｓ１  ネジ
２２  側板部
２３  張出部（ガイド部）
３  カバー
３１  正面板部
３２  側板部
３３  摺動係合部
３４  突起片
３０  光表示板の挿入嵌装部
４  光表示板
４１  正面光表示板部
４２  側面光表示板部
５  抜け止め部材
５１  内側部材
５１１  底板部
５１２  前板部
５１２ｈ  ネジ孔
５１３  後ろ板部
５１３ｈ  ネジ通し孔
ｓ２  ネジ
５２  外側部材
５２１  前板部
５２１ｈ  ネジ通し孔
ｓ３  ボルト
５２２  側板部
６  プリズム
【図１】
2007328039.tif 000003
【図２】
2007328039.tif 000004
【図３】
2007328039.tif 000005
【図４】
2007328039.tif 000006
【図５】
2007328039.tif 000007
【図６】
2007328039.tif 000008
【図７】
2007328039.tif 000009
【図８】
2007328039.tif 000010
【図９】
2007328039.tif 000011
【図１０】
2007328039.tif 000012